(57)【要約】      （修正有）【課題】患者が座る時に、ワークテーブル上の歯科治療器材やインスツルメントホルダに取り付けられているマイクロエンジン，エアータービン等のインスツルメントが患者の目に触れず、患者に余計な恐怖感を与えない歯科治療用椅子の提供。【解決手段】基台２０に回動自在に取り付けられた回動リング３０，４０と、該回動リングに取り付けられたワークテーブル３２とを有し、ワークテーブル３２はスピットン５２を有し、安頭台１１の周りを回転移動可能である。ワークテーブル３２及びインスツルメント３３をヘッドレスト１１の後側にし、患者が治療用椅子に腰掛けるときに、ワークテーブル上の機材やインスツルメントホルダ上のインスツルメントが患者の目に入らないようにする。【選択図】図３
2007260229.tif 000002
【特許請求の範囲】
【請求項１】
歯科治療用椅子の基台に回動自在に取り付けられた第１の回動リングと、該第１の回動リングに取り付けられたワークテーブルとを有し、前記第１の回動リングを前記基台のまわりに回動させることにより前記ワークテーブルが安頭台の周りを回転移動可能であることを特徴とする歯科治療用椅子。
【請求項２】
前記ワークテーブルはドクタ用インスツルメントホルダを一体的に具備することを特徴とする請求項１に記載の歯科治療用椅子。
【請求項３】
前記基台は回動自在に取り付けられた第２の回動リングを更に有し、該第２の回動リングにアシスタント用インスツルメントホルダを一体的に具備することを特徴とする請求項１又は２に記載の歯科治療用椅子。
【請求項４】
前記基台は回動自在に取り付けられた第３の回動リングを更に有し、該第３の回動リングにスピットンを一体的に具備することを特徴とする請求項１乃至３のいずれかに記載の歯科治療用椅子。
【請求項５】
前記ワークテーブル及びアシスタント用インスツルメントホルダは、前記安頭台の後側を回動して、当該歯科治療用椅子の左右反対の側に移動可能であることを特徴とする請求項３に記載の歯科治療用椅子。
【請求項６】
前記スピットンは無影灯を一体的に具備することを特徴とする請求項４に記載の歯科治療用椅子。
【請求項７】
前記基台は回動自在に取り付けられた第４の回動リングを更に有し、該第４の回動リングに無影灯を一体的に具備することを特徴とする請求項１乃至４のいずれかに記載の歯科治療用椅子。
【発明の詳細な説明】
【技術分野】
【０００１】
本発明は、歯科治療用椅子、より詳細には、ワークテーブルやインスツルメントホルダを患者の頭部の周りに回動自在に取り付け、患者が治療椅子に座る時に、ワークテーブル上に載置されている歯科治療器材やインスツルメントホルダに取り付けられているマイクロエンジン，エアータービン等のインスツルメントが患者の目に触れないようにし、患者に余計な恐怖感を与えないようにした歯科治療用椅子に関する。
【背景技術】
【０００２】
図４は、本発明が適用される歯科治療用椅子を具備する歯科治療ユニットの一例を示す全体構成図で、該歯科治療ユニットは、歯科治療用椅子１，ワークテーブル２，スピットン３，無影灯４，ドクタ（術者）用インスツルメントホルダ５，フットスイッチ６，アシスタントインスツルメントホルダ７，ハンドピース（インスツルメント）８，インスツルメントホース９等から成り、インスツルメントホルダ５には、歯科治療において術者が使用する種々のハンドピース、例えば、エアータービン、マイクロエンジン、超音波スケーラ、マルチシリンジ等のインスツルメント８が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にして治療を行う。
【発明の開示】
【発明が解決しようとする課題】
【０００３】
上述のごとき歯科治療ユニットにおいては、ワークテーブル２の上には歯科治療に必要な種々の器材、例えば、ピンセットや鋏、更には、ガーゼ，薬剤瓶等が載置されており、患者が治療椅子に座る時に、これら器材が患者の目に入り、患者に恐怖感を与える。
【０００４】
さらに、ワークテーブル２には、インスツルメントホルダ５が取り付けられており、該インスツルメントホルダ５には、歯科治療に必要な種々のインスツルメント、例えば、エアータービン、マイクロエンジン等８が搭載されており、これらも、患者に恐怖感を与えていた。
【０００５】
本発明は、上述のごとき患者に恐怖感を与えるワークテーブルやインスツルメントホルダを、患者が治療椅子に座る際に、患者の目に触れないようにし、もって、患者に恐怖感を与えないようにすることを目的としてなされたものである。
【課題を解決するための手段】
【０００６】
請求項１の発明は、歯科治療用椅子の基台に回動自在に取り付けられた第１の回動リングと、該第１の回動リングに取り付けられたワークテーブルとを有し、前記第１の回動リングを前記基台のまわりに回動させることにより前記ワークテーブルが安頭台の周りを回転移動可能であることを特徴としたものである。
【０００７】
請求項２の発明は、請求項１の発明において、前記ワークテーブルはドクタ用インスツルメントホルダを一体的に具備することを特徴としたものである。
【０００８】
請求項３の発明は、請求項１又は２の発明において、前記基台は回動自在に取り付けられた第２の回動リングを更に有し、該第２の回動リングにアシスタント用インスツルメントホルダを一体的に具備することを特徴としたものである。
【０００９】
請求項４の発明は、請求項１乃至３のいずれかの発明において、前記基台は回動自在に取り付けられた第３の回動リングを更に有し、該第３の回動リングにスピットンを一体的に具備することを特徴としたものである。
【００１０】
請求項５の発明は、請求項３の発明において、前記ワークテーブル及びアシスタント用インスツルメントホルダは、前記安頭台の後側を回動して、当該歯科治療用椅子の左右反対の側に移動可能であることを特徴としたものである。
【００１１】
請求項６の発明は、請求項４の発明において、前記スピットンは無影灯を一体的に具備することを特徴としたものである。
【００１２】
請求項７の発明は、請求項１乃至４のいずれかの発明において、前記基台は回動自在に取り付けられた第４の回動リングを更に有し、該第４の回動リングに無影灯を一体的に具備することを特徴としたものである。
【発明の効果】
【００１３】
本発明によると、ワークテーブルやインスツルメントホルダを歯科治療用椅子の後部等に位置させることができるので、患者が歯科治療用椅子に腰掛ける際、ワークテーブルの上に載置されている歯科治療に必要な種々の器材、例えば、ピンセット，鋏，ガーゼ，薬剤瓶等、更には、インスツルメントホルダに搭載されている歯科治療に必要な種々のインスツルメント、例えば、エアータービン，マイクロエンジン等が、患者が治療椅子に座る際に、患者の目に触れないようにしたので、歯科治療に先立って、患者に恐怖感を与えるようなことはない。
【００１４】
更には、ワークテーブル（及びドクタ用インスツルメントホルダ）とアシスタント用インスツルメントの位置を治療椅子の左右反対側の位置に交換可能に配置することができるので、右利きのドクタにも左利きのドクタにも容易に対応させることができる。
【発明を実施するための最良の形態】
【００１５】
図１は、本発明による歯科治療用椅子の一実施例を説明するための要部概略構成図で、図１（Ａ）は患者が歯科治療用椅子に座る際におけるワークテーブル及びインスツルメントホルダの配置例を示す要部概略側面図、図１（Ｂ）は歯科治療中におけるワークテーブル及びインスツルメントホルダの配置例を示す要部概略平面図、図１（Ｃ）は患者が歯科治療用椅子に座る際におけるワークテーブル及びインスツルメントホルダの配置例を示す要部概略平面図で、図中、１０は本発明による歯科治療用椅子の着座部を示し、該着座部１０は、図示例の場合、ヘッドレスト（安頭台）１１、バックレスト１２、コンターシート１３、レッグレスト１４、フットステップ１５等からなるが、該着座部は、レッグレスト及びフットステップがコンターシートと一体的に構成されたものでもよく、該着座部１０を上下動、起倒動、傾斜動させて、診療しやすい状態にして歯科治療を行う。
【００１６】
図１（Ａ）において、２０は前記着座部１０を搭載する基台で、該基台２０内には前記着座部１０を上下動、起倒動、傾斜動等させる機構が具備されているが、本発明においては、該基台２０の回りに、回動リング３０が回動自在に取り付けられており、該回動リング３０にはアーム３１を介してワークテーブル３２が取り付けられている。この回動リング３０は、図１（Ｂ）に矢印Ａにて示すように、基台２０に対して回動自在に取り付けられており、この回動リング３０を回転することによりワークテーブル３２は、少なくとも、図１（Ｂ）に示す診療位置からバックレスト１２の後側、つまり、図１（Ａ）又は図１（Ｃ）に示す位置まで回動可能に取り付けられている。
【００１７】
従って、ワークテーブル３２は、図１（Ｂ）に矢印Ａにて示すように、患者の頭部（ヘッドレスト）１１のまわりを回動可能に移動することができ、患者が歯科治療用椅子に腰掛ける際に、ヘッドレストの後側（従って、バックレスト１２の後側）に、図１（Ａ）又は図１（Ｃ）に示す状態で位置させておくと、患者が治療椅子に乗る際、ワークテーブル３２が患者の目に入るようなことはなく、従って、患者に余計な恐怖感を与えるようなことはない。
【００１８】
ワークテーブル３２には、通常、図示のように、インスツルメントホルダ３３が一体的に取り付けられており、回動リング３０を回動すると、インスツルメントホルダ３３に搭載されているドクタ用インスツルメント３４も一緒に回動されて、ヘッドレスト１１の後側に位置され、患者が治療椅子に腰掛ける際、これらインスツルメント３４が患者の目に触れる心配もない。
【００１９】
図２は、図１に示した歯科治療用椅子に、更に、アシスタント用のインスツルメントホルダをも回動自在に取り付けた場合の実施例を説明するための図で、図２（Ａ）は患者が歯科治療用椅子に座る際におけるワークテーブル及びインスツルメントホルダの配置例を示す要部概略側面図、図２（Ｂ）は歯科治療中におけるワークテーブル及びインスツルメントホルダの配置例を示す要部概略平面図、図２（Ｃ）は患者が歯科治療用椅子に座る際におけるワークテーブル及びインスツルメントホルダの配置例を示す要部概略平面図で、図中、４０は歯科治療用椅子の基台２０に回動自在に取り付けられた第２（回動リング３０と区別する意味で第２とした）の回動リングで、該回動リング４０にはアーム４１を介してアシスタント用のインスツルメントホルダ４２が取り付けられ、該ホルダ４２にはアシスタント用のインスツルメント４３、例えば、排唾チューブ，吸引（バキューム）管４３等が取り付けられている。
【００２０】
このアシスタント用のインスツルメントホルダ４２の回動リング４０も前記ワークテーブル用の回動リング３０と同様、図２（Ｂ）に示すように、ヘッドレスト１１のまわりを矢印Ｂにて示すように回動され、患者が治療用椅子に腰掛ける際、図２（Ａ）又は図２（Ｃ）に示すように、バックレスト１２の後側に回動され、患者の目に入らないように位置される。
【００２１】
図２（Ｂ）は、右利きの術者がワークテーブル３２（及びドクタ用インスツルメントホルダ３３）を使用する時の配置例を示すが、左利きの術者が使用するときは、これらワークテーブル３２（及びドクタ用インスツルメントホルダ３３）及びアシスタント用インスツルメントホルダ４３の位置を図示状態から反対側の位置、すなわち、歯科治療用椅子に対して左右反対側の位置にし、その状態で、術者及びアシスタントは、通常の歯科治療を行う。
【００２２】
更には、ドクタ用インスツルメントホルダ３３とアシスタント用インスツルメントホルダ４２を、図２（Ｃ）に示すように、近接，対向させると、アシスタントは、例えば、ＡＳにて示す位置にて、ドクタ用インスツルメント３４とアシスタント用インスツルメント４３を移動することなく、メンテナンス（インスツルメントの交換等）を行うことができる。
【００２３】
以上には、歯科治療用椅子の基台２０に、２段に回動リング３０，４０を設け、それぞれの回動リングにドクタ用インスツルメントホルダ及びアシスタント用のインスツルメントホルダを取り付けるようにした例を示したが、更には、基台２０に同様の第３，第４の回動リングを設け、これら回動リングにスピットン或いは無影灯を取り付けるようにしておくと、これらスピットン及び無影灯とも、右利きの術者と左利きの術者とで、容易にその配置関係を変更することができ、右利きの術者にも左利きの術者にも容易に対応させることができる。
【００２４】
図２において、５０はスピットン取り付け用の回動リング（便宜的に第３の回動リング）で、該回動リング５０にはアーム５１を介してスピットン５２が取り付けられており、該スピットン５２は、回動リング５０を、図２（Ｂ）において、矢印Ｃ方向へ回動することによって、歯科治療用椅子の反対側（ワークテーブル及びドクタ用インスツルメントホルダが位置する側）に移動可能になっている。なお、図２において、無影灯は記載されていないが、この無影灯は、スピットン（スピットンボックス）５２に一体的に取り付けてもよく、或いは、更に、基台２０に第４の回動リングを設け、この第４の回動リングに取り付けるようにしてもよい。
【００２５】
図３は、本発明による歯科治療用椅子を斜め後方から見た一実施形態を示す全体斜視図で、図示例の場合、無影灯は省略してあるが、この無影灯は、前述のように、スピットン５２上に取り付けてもよいが、基台２０に更に無影灯用の回動リングを設け、該回動リングに取り付けるようにしてもよい。なお、これらスピットン及び／又は無影灯を取り付けた回動リングは、これらスピットン及び無影灯が治療椅子の前方を通すように回動され、ドクタ用インスツルメントホルダやアシスタント用インスツルメントホルダの回転経路と交わらないようにすると、取り付けアームの径方向の長さをあまり長くしなくて済む。
【図面の簡単な説明】
【００２６】
【図１】本発明による歯科治療用椅子の一実施例を説明するための要部概略構成図である。
【図２】図１に示した歯科治療用椅子に、更に、アシスタント用のインスツルメントホルダをも回動自在に取り付けた場合の実施例を説明するための図である。
【図３】本発明による歯科治療用椅子を斜め後方から見た全体斜視図である。
【図４】本発明が適用される歯科治療ユニットの一例を示す全体構成図である。
【符号の説明】
【００２７】
１０…歯科治療用椅子の着座部、１１…ヘッドレスト、１２…バックレスト、１３…コンターシート、１４…レッグレスト、１５…フットステップ、２０…基台、３０…ワークテーブル用回動リング、３１…アーム、３２…ワークテーブル、３３…術者用インスツルメントホルダ、３４…術者用インスツルメント、４０…アシスタントインスツルメント用回動リング、４１…アーム、４２…アシスタント用インスツルメントホルダ、４３…アシスタント用インスツルメント、５０…スピットン用回動リング、５１…アーム、５２…スピットン。
【図１】
2007260229.tif 000003
【図２】
2007260229.tif 000004
【図３】
2007260229.tif 000005
【図４】
2007260229.tif 000006